(57)【要約】【課題】ゴミは嵩張るので、直ぐにゴミ容器の口まで溜まってしまう。そこで、ゴミを上部より圧縮することにより、ごみ捨ての回数を減らし、さらに、体積を減量したい。また、ゴミ容器内のゴミを素手で押しつぶすのは不衛生である。【解決手段】ゴミ容器の蓋を外周蓋と落し蓋とに分け、外周蓋の内側両端の対称な位置に弾性材の入った弾性ケースをゴミ容器の内側底方向に設け、弾性材ケースにはガイド溝を付け、このガイド溝に落し蓋の両端に設けている落し蓋回転軸を差し込み、落し蓋の両端の突起である落し蓋回転軸が弾性材の作用でガイド溝に沿って落し蓋を上昇させ、落し蓋が平にバランスをとれるように中央を高くして山型にし、弾性材により落し蓋を押し上げ、さらに、回転させると落し蓋がゴミの投入口となり常に落し蓋が閉じる状態にしたプレスゴミ容器。【選択図】図４
2005154091.tif 000002
【特許請求の範囲】
【請求項１】
ゴミ容器の蓋を容器の縁に載せる外周蓋とゴミ容器の内径より小さくしてゴミ容器の中に落し込む落し蓋とに分け、外周蓋の内側両端の対称となる位置に弾性材が入いった弾性材ケースをゴミ容器の内側底方向に設け、この弾性材ケースには弾性材を入れ、弾性材で落し蓋を上昇させるガイド溝を設け、落し蓋の両端には突起を設けガイド溝に挿入し、ガイド溝に沿って落し蓋をゴミ容器の中で上下させると共に回転させるこの突起を落し蓋回転軸とし、落し蓋回転軸を軸にして落し蓋を回転するようにさせ、落し蓋を回転させると外周蓋との間に大きな隙間ができこの隙間よりゴミを投入できるようにし、落し蓋を手で押し下げると、外周蓋の内側底方向に設けてある弾性材ケースのガイド溝に沿って下がり、ゴミ容器内の堆積したゴミを落し蓋が圧縮させ、手を離すと弾性材の作用で落し蓋が押し上げられるプレスゴミ容器。
【請求項２】
弾性ケースをゴミ容器の外周蓋から分離できるように、外周蓋の側面に複数の固定穴を開け、弾性ケースの側面には複数の固定突起を設けて固定穴と固定突起で着脱自在に結合させ、ゴミ容器の外周蓋と弾性ケースを一体化することを特徴とする請求項１に記載のプレスゴミ容器。
【請求項３】
外周蓋１に取付けた縦長の弾性ケースの側面にガイド溝を設け、落し蓋の落し蓋回転軸をガイド溝に挿入させて、落し蓋をガイド溝に沿って上下させるために弾性ケースにガイド溝を設けたことを特徴とする請求項１に記載のプレスゴミ容器。
【請求項４】
落し蓋は、弾性ケースのガイド溝に、落し蓋の落し蓋回転軸が挿入され弾性材で押し上げられ、落し蓋の上下移動と回転を良くするため、弾性材が直接落し蓋回転軸に接触しないように、弾性ケース内の弾性材と落し蓋回転軸の間に挟んだ接触板を備えたことを特徴とする請求項１に記載のプレスゴミ容器。
【請求項５】
ゴミ容器の上部の口径より底部の直径を小さくして運搬の際ゴミ容器どうしを重ねられるようにし、ゴミ容器の外周蓋と落し蓋と弾性ケースを各部品の分けたことを特徴とする請求項１に記載のプレスゴミ容器。
【請求項６】
ゴミ容器の外周蓋の向かい合った縁の高さを低くし、他の向い合った外周蓋の縁を高くし、ゴミ容器に被さる外周蓋に高低を付け、それに伴い落し蓋も中央部を高く両端を低くして、押すと自由に回転する落し蓋がバランスをとって平となるが、落し蓋回転軸にも軸上部を丸軸にせず上部を平らにして、ガイド溝の上端の平らな部分にガイド溝の弾性材の力で落し蓋回転軸を密着させることにより落し蓋を平にさせ外周蓋の口を落し蓋にバランスをとらせて落し蓋を閉じることを特徴とする請求項１に記載のプレスゴミ容器。
【請求項７】
ゴミ容器から外周蓋が浮き上がらないように、外周蓋の１部の縁をＬ型に曲げたフックでゴミ容器の縁に引っ掛け、ゴミ容器と外周蓋を一体化することを特徴とする請求項１に記載のプレスゴミ容器。
【発明の詳細な説明】
【技術分野】
【０００１】
本発明は、ゴミ容器の内側にゴミ袋を密着させて、ゴミ容器の蓋を上下させてゴミを圧縮させゴミ容器内のゴミが堆積するとゴミ袋ごと処分できるゴミ容器。      
【背景技術】
【０００２】
ゴミ容器内に直接ゴミを入れるか、ゴミ容器内にゴミ袋を敷き込み、満杯になるとゴミ袋を取出し処分している。ゴミは嵩張るので、圧縮して処分したいが、直接手で押しつぶすのは不快である。
【発明の開示】
【発明が解決しようとする課題】
【０００３】
嵩張るゴミを圧縮して容積を減らすために、素手でゴミ容器にゴミを押込めるのは、衛生上好ましくない。そこで、直接ゴミに触らずゴミを圧縮したい。また、買い物したときのレジ袋をゴミ容器の内側に密着するように入れ、圧縮したゴミをゴミ容器より取出し、ゴミに直接、手を触れずに樹脂製のレジ袋ごとゴミを処分したい。
【課題を解決するための手段】
【０００４】
ゴミ容器の蓋を容器の縁に載る外周蓋１と容器の内径より小さくしてゴミ容器の中に落とし込む落し蓋２とに分け、外周蓋１の内側両端の対称となる位置に弾性材３が入いった弾性材ケース４を縦に設け、この弾性材ケース４には、バネ等の弾性材３を入れ、落し蓋２を上下させるガイド溝９を設ける。落し蓋２の両端には落し蓋２をゴミ容器６の中で上下させ、回転させるために必要なガイド溝９に入る突起を設け、これを落し蓋回転軸５とし、ガイド溝９に落し蓋２の突起である落し蓋回転軸５を挿入して、落し蓋回転軸５を軸にして落し蓋２が回転するようにする。落し蓋２を回転させると外周蓋１との間に大きな隙間ができ、この隙間よりゴミを投入できるようにする。落し蓋２は、ゴミ容器６の内側底方向に設けてある弾性材ケース４のガイド溝９に沿って手で落し蓋２を押し下げるとゴミ容器６内の堆積したゴミ１０を落し蓋２で圧縮させ、手を離すと弾性材３の作用で落し蓋２がガイド溝９に沿って押し上げられ、ゴミ容器６の投入口を落し蓋２で常に閉じた状態になる。
【０００５】
使用するとき組み立てるのだが、ゴミ容器６の外周蓋１に弾性材ケース４が取付けできるように、外周蓋１の側面に複数の固定穴１１を設け、弾性材ケース４の側面には複数の固定突起８を設けて固定穴１１と固定突起８で着脱自在に結合させ、ゴミ容器６の外周蓋１と弾性材ケース４を一体化させる。固定突起８の裏面は、固定穴１１に着脱し易いように肉厚を薄くする。
弾性材ケース４のガイド溝６に落し蓋回転軸５が挿入されている落し蓋２を弾性材３で押し上げているのであるが、落し蓋２の上下移動と回転を良くするため、弾性材３が直接落し蓋回転軸５に触れずに、弾性材ケース４内の弾性材３と落し蓋回転軸５の間に挟んだ接触板７を備える。
落し蓋２を平に閉じるために錘を落し蓋２の両端に付けて平にバランスさせるのもよいが、図３に示すように、ゴミ容器６に被さる外周蓋１に高低を付ける。すなわち、外周蓋１の向かい合った縁の高さを低くし、他の向い合った外周蓋１の縁を高くし、それに伴い落し蓋２も中央部を高く両端を低くして、押すと自由に回転する落し蓋２がバランスをとり平となり、さらに、落し蓋回転軸５の軸上部を丸軸にせず上部を平らにして、弾性材３の力でガイド溝６上端の平らな部分に密着させることにより、落し蓋２を平にバランスをとらせ外周蓋１のゴミ投入口を閉じる。
ゴミ容器６から外周蓋１が浮き上がらないように、外周蓋１の１部の縁をＬ型に曲げたフック１２でゴミ容器６の縁に引っ掛けゴミ容器６と外周蓋１を一体化する。
【発明の効果】
【０００６】
ゴミ容器６の落し蓋２を手で下方に押すことにより、ゴミ容器６内でゴミ１０を圧縮し、ゴミの体積を減らすことができ、ゴミ容積が減量化するので運搬コストを低減できる。
【発明を実施するための最良の形態】
【０００７】
ゴミ容器の蓋をとに分け落し蓋２をゴミ容器６の中に押し下げゴミ１０をプレスすると外周蓋１の内側側面に設けた弾性材３が落し蓋２を押し上げ、ゴミの投入口を閉じる。
【実施例】
【０００８】
外周蓋１の固定穴１１に内側側面より弾性材ケース４の突起８を挿入して外周蓋１に弾性材ケース４を取付け、さらに、図３に示すように、落し蓋２の落し蓋回転軸５を弾性材ケース４のスライド溝９の接触板７の上にセットする。外周蓋１に弾性材ケース４と落し蓋２が一体化した外周蓋１をゴミ容器６の口に載せる。
ゴミ容器６にゴミ１０を入れるときは、投入口を開けるため手で落し蓋２を回転させてゴミ１０を入れ、離すと落し蓋２のバランスで閉じる。
ゴミ容器６内のゴミ１０が堆積してきたら落し蓋２を手で水平に押し下げればゴミ１０は圧縮され、落し蓋２を離すとバネ等の弾性材３により、外周蓋１の開口部まで落し蓋２が上昇し、さらに、ゴミ１０を入れることができる。ゴミ１０が満杯になり圧縮できなくなったら落し蓋２が一体になっている外周蓋１をゴミ容器６から外してゴミ容器６内のゴミ１０を捨てる。図面では省略しているが、ゴミ容器６にゴミ袋の口を掛けて外周蓋１で押さえ、ゴミ容器６内に密着させてゴミ袋を入れておくとゴミ袋ごとゴミ１０を捨てることができる。
【０００９】
完成品として外周蓋と弾性材ケース４を連結させれば、固定穴１１と固定突起８の構造は不要であり組み立てずにそのまま使用できるが、運搬や在庫に場所をとる。
【産業上の利用可能性】
【００１０】
ゴミ容器６の落し蓋２を手で押し下げることにより、容易にゴミ１０の体積を圧縮させゴミ１０の容量を縮小化できる。
【図面の簡単な説明】
【００１１】
【図１】この発明の平面図である。
【図２】この発明のＣ−Ｃ’の拡大平面図である。
【図３】この発明のＡ−Ａ’の外周蓋１の断面図と外周蓋１の内側に取付けた弾性材ケース４の立面図とＤ部分の側面拡大図である。
【図４】この発明の外周蓋１に弾性材３を入れた弾性材ケース４と落し蓋２をセットしてゴミ容器６に取付け、落し蓋２を押し下げたＡ−Ａ’の断面図である。
【図５】この発明のゴミ容器６の落し蓋２を回転させたゴミ投入口を確保したＡ―Ａ’の断面図である
【図６】この発明の外周蓋１と弾性材ケース４と落し蓋２を分解した図３のＤ拡大図部分の断面図である。
【図７】この発明の外周蓋１に弾性材３の入った弾性材ケース４と落し蓋２を取付け、ゴミ容器６から外したＢ−Ｂ’断面図である。
【図８】この発明のゴミ容器６の外周蓋１に弾性材３の入った弾性材ケース４と落し蓋２をセットし、落し蓋２を押し下げたＢ−Ｂ’の断面図である。
【符号の説明】
【００１２】
１          外周蓋
２          落し蓋
３          弾性材
４          弾性材ケース
５          落し蓋回転軸
６          ゴミ容器
７          接触板
８          固定突起
９          ガイド溝
１０        ゴミ
１１        固定穴
１２        フック
【図１】
2005154091.tif 000003
【図２】
2005154091.tif 000004
【図３】
2005154091.tif 000005
【図４】
2005154091.tif 000006
【図５】
2005154091.tif 000007
【図６】
2005154091.tif 000008
【図７】
2005154091.tif 000009
【図８】
2005154091.tif 000010